(57)【要約】  【課題】  小物若しくは玩具として利用できるプラスチック気泡性シートを提供すること。商品包装の際の緩衝材としての機能を持ちつつ商品イメージに配慮したプラスチック気泡性シートを提供すること。  【解決手段】  複数の凸部１１を有した上層プラスチックシート１と、芳香成分２１を含有する中層プラスチックシート２と、平坦な下層プラスチックシート３とを有し、前記凸部１１の内側１２に気体が封入されたプラスチック気泡性シートＡを提供する。また、上記に加えて、本考案に係るプラスチック気泡性シートＡを、上層プラスチックシート１を透明又は半透明にし、中層プラスチックシート２の表面（上面２２若しくは下面２３）に所定の図柄を印刷した構成にしてもよい。上記プラスチック気泡性シートＡは、小物若しくは玩具として利用できる。また、商品包装の際の緩衝材として用いる場合には、その商品のイメージを向上させることができる。  【選択図】  図１
0003111029.tif 000002
【実用新案登録請求の範囲】
【請求項１】
複数の凸部を有した上層プラスチックシートと、平坦な下層プラスチックシートとを有し、前記凸部の内側に気体が封入されたプラスチック気泡性シートであって、
芳香成分が、前記上層プラスチックシート及び／又は前記下層プラスチックシートに練り込まれたプラスチック気泡性シート。
【請求項２】
複数の凸部を有した上層プラスチックシートと、芳香成分が練り込まれた中層プラスチックシートと、平坦な下層プラスチックシートとを有し、
前記凸部の内側に気体が封入されたプラスチック気泡性シート。
【請求項３】
前記芳香成分を用いて附香させたケイ酸カルシウムが練り込まれたことを特徴とする請求項１又は請求項２記載のプラスチック気泡性シート。
【請求項４】
前記芳香成分を封入したマイクロカプセルが練り込まれたことを特徴とする請求項１又は請求項２記載のプラスチック気泡性シート。
【請求項５】
複数の凸部を有した上層プラスチックシートと、平坦な下層プラスチックシートとを有し、前記凸部の内側に気体が封入されたプラスチック気泡性シートであって、
芳香成分が封入されたマイクロカプセルをインキに含有させ、該インキを、前記下層プラスチックシートの上面に塗布したプラスチック気泡性シート。
【請求項６】
前記中層プラスチックシートの上面又は下面、若しくは前記下層プラスチックシートの上面または下面に、所定の図柄が印刷されたことを特徴とする請求項１から請求項５のいずれか一項記載のプラスチック気泡性シート。
【請求項７】
前記芳香成分が所定の花の香りであり、前記中層プラスチックシートの上面又は下面、若しくは前記下層プラスチックシートの上面又は下面に、前記花の図柄が印刷されていることを特徴とする請求項１から請求項５のいずれか一項記載のプラスチック気泡性シート。
【考案の詳細な説明】
【技術分野】
【０００１】
本考案は、芳香成分を含有させたプラスチック気泡性シートに関する。
【背景技術】
【０００２】
従来、商品包装などの際に、緩衝材として、プラスチック気泡性シート若しくはエアキャップシート（以下、本考案において「プラスチック気泡性シート」とする。）が広く利用されている。
【０００３】
プラスチック気泡性シートは、複数の凸部を有した上層プラスチックシートと平坦な下層プラスチックシートとを溶融・圧着などし、前記凸部の内側に気体を封入したシートであり、気体を封入した部分がクッション性を有している。従って、例えば、商品をプラスチック気泡性シートで包装した場合、クッション性により、その商品を外からの衝撃から守ることができるため、緩衝材として広く利用されている。
【０００４】
また、プラスチック気泡性シートは、凸部の手触り感や凸部を破裂させる感覚が良好であるため、包装した商品の開封後にも、小物若しくは玩具として多くの人に親しまれている。
【０００５】
なお、本考案に関連する先行文献としては、次の文献がある。特許文献１には、芳香成分が封入されたプラスチック気泡性シートが、特許文献２には、鮮度保持・消臭フィルムをプラスチックに練り込んだプラスチック気泡性シートが、特許文献３には、プラスチック気泡性シートの製造方法の一例が、それぞれ記載されている。
【特許文献１】特開平７−１７８８４８号公報
【特許文献２】特開２００１−２１９９６９号公報
【特許文献３】特開２００２−３６１７２５号公報
【考案の開示】
【考案が解決しようとする課題】
【０００６】
従来のプラスチック気泡性シートは、緩衝材としての機能に重点が置かれていたため、小物若しくは玩具として利用するための改良が不充分であった。
【０００７】
また、商品形態や需要者の好みの多様化に伴い、商品自体だけでなく、商品包装に用いる部材（プラスチック気泡性シートなど）についても、商品イメージに配慮したものを採用したいという需要が高まりつつある。
【０００８】
そこで、本考案は、小物若しくは玩具として利用できるプラスチック気泡性シートを提供すること、及び、商品包装の際の緩衝材としての機能を持ちつつ商品イメージに配慮したプラスチック気泡性シートを提供すること、を主な目的とする。
【課題を解決するための手段】
【０００９】
本考案では、複数の凸部を有した上層プラスチックシートと、平坦な下層プラスチックシートとを有し、前記凸部の内側に気体が封入されたプラスチック気泡性シートであって、シート内の所定部位に芳香成分を含有させたプラスチック気泡性シートを提供する。
【００１０】
具体的には、例えば、芳香成分を、上層プラスチックシート及び／又は下層プラスチックシートに練り込む構成にしてもよいし、上層プラスチックシートと下層プラスチックシートとの間に中層プラスチックシートを設け、その中に練り込む構成にしてもよい。
【００１１】
高濃度の芳香成分をシートに含有させる手段として、例えば、（１）芳香成分を用いて附香させたケイ酸カルシウムを練り込む、（２）芳香成分を封入したマイクロカプセルを練り込む、などがある。
【００１２】
プラスチック気泡性シートの気泡内に芳香成分を封入する場合、製造段階において芳香成分が拡散しやすいため、芳香成分を高濃度でプラスチック気泡性シートに封入することが難しい。それに対し、上記構成を適用することにより、プラスチック気泡性シートに芳香成分を高濃度で封入することができ、また、芳香成分をプラスチック気泡性シートに長期間保持させることができる。
さらに、マイクロカプセルに芳香成分を封入する場合、プラスチック気泡性シートに強い圧力を加えることにより、マイクロカプセルを強制的に破裂させることができるため、例えば、プラスチック気泡性シートの気泡を指先などで破裂させた際に、同時に、マイクロカプセル内の芳香成分を高濃度に放散させることができるという利点がある。
【００１３】
また、本発明に係るプラスチック気泡性シートは、芳香成分が封入されたマイクロカプセルをインキに含有させ、該インキを、前記下層プラスチックシートの上面に塗布する構成にしてもよい。この場合も、上記と同様の作用効果を得ることができる。
【００１４】
本考案に係るプラスチック気泡性シートは、凸部の手触り感や凸部を破裂させる感覚を楽しむことができることに加えて、凸部を破裂させた際に、香りも楽しむことができるため、小物若しくは玩具として楽しむことができる。
【００１５】
また、例えば、プラスチック気泡性シートを商品包装の際の緩衝材として用いる場合にも、その商品の商品イメージに配慮した香りの種類を用いることにより、その商品自体のイメージを向上させることができる。
【００１６】
上記に加えて、本考案に係るプラスチック気泡性シートは、（１）上層プラスチックシートを透明又は半透明に形成し（シートに色がついている場合を含む、以下同じ）、中層プラスチックシートの上面又は下面に所定の図柄を印刷する、（２）上層プラスチックシート（及び中層プラスチックシート）を透明又は半透明に形成し（シートに色がついている場合を含む）、下層プラスチックシートの上面に所定の図柄を印刷する、（３）下層プラスチックシートの下面（プラスチック気泡性シートの裏面）に所定の図柄を印刷する、などの構成にしてもよい。
【００１７】
それにより、前記と同様、小物若しくは玩具としての利用価値を高めることができる。また、プラスチック気泡性シートを商品包装の際の緩衝材として用いる場合にも、商品イメージに配慮した図柄を採用することにより、前記と同様、その商品自体のイメージを向上させることができる。
【００１８】
即ち、例えば、御土産品・特産品などをプラスチック気泡性シートで包装する場合、芳香成分を、その土地を連想させる花の香りにし、中層プラスチックシートや下層プラスチックシートに、その花やその土地の景勝地などに関するイラストや写真などを印刷にすることにより、その商品のイメージを向上させることができる。
【００１９】
その他、印刷した図柄を、上層プラスチックシートと中層プラスチックシート、又は、上層プラスチックシートと下層プラスチックシートで挟み込む構成にすることにより、図柄を付した部分が両シートにより保護され、図柄を長時間保持できるという利点がある。
【考案の効果】
【００２０】
本考案に係るプラスチック気泡性シートは、小物若しくは玩具として利用できる。また、商品包装の際の緩衝材として用いる場合には、その商品のイメージを向上させることができる。
【考案を実施するための最良の形態】
【００２１】
本考案を実施するための好適な形態について、以下説明する。
【００２２】
図１は、本考案に係るプラスチック気泡性シートの構成の一例を示す断面模式図である。
【００２３】
図１中のプラスチック気泡性シートＡは、複数の凸部を有した上層プラスチックシート１、芳香成分が練り込まれた中層プラスチックシート２、平坦な下層プラスチックシート３の三層からなる。上層プラスチックシート１の凸部１１の内側１２には、気体（空気）が封入されており、気泡を形成している。
【００２４】
各プラスチックシート１、２、３は、従来のプラスチック気泡性シートに用いられているプラスチック樹脂を適用できる。即ち、例えば、ポリオレフィン類（ＰＰ（ポリプロピレン）、ＬＤＰＥ（低密度ポリエチレン）、ＬＬＤＰＥ（直鎖状低密度ポリエチレン）エチレン−α−オレフィン共重合体、ＨＤＰＥ（高密度ポリエチレン）、ＥＶＡ（エチレン・酢酸ビニル共重合体）など）、ポリアミド類、ポリエステル類、生分解性ポリマー（ポリ乳酸、ポリカプロラクトンなどの脂肪族ポリエステル）などを適用できる。
【００２５】
中層プラスチックシート２に練り込まれた芳香成分２１は、既知の芳香成分を用いることができる。例えば、スズラン、ライラック、ラベンダーなどの花の香りを持つ芳香成分２１を適用してもよい。
【００２６】
芳香成分２１は、例えば、ケイ酸カルシウムなど所定の担体に附加したり、マイクロカプセルに封入したりした後、中層プラスチックシート２に練り込むことにより、芳香成分を高濃度で練り込むことができ、また、芳香成分のロスを減らすことができる。
【００２７】
なお、図１では、芳香成分２１が中層プラスチックシート２に練り込まれた構成を有しているが、本考案において、中層プラスチックシート２を構成するかどうかは任意であり、本考案に係るプラスチック気泡性シートＡは、図１に示す構成の場合に限定されない。
即ち、例えば、上層プラスチックシート１及び／又は下層プラスチックシート３に芳香成分が練り込まれている場合も、本考案に包含される。
また、例えば、芳香成分が封入されたマイクロカプセルをインキに含有させ、該インキを、下層プラスチックシート３の表面（符号３１）に塗布する構成の場合も、本考案に包含される。
これらの場合も、前記と同様、芳香成分を高濃度で練り込むことができ、また、芳香成分のロスを減らすことができる。
【００２８】
中層プラスチックシート２の上面２２には、所定の図柄を印刷してもよい。その場合、上層プラスチックシート１を透明又は半透明にする必要がある。但し、透明又は半透明であれば、色が付加されていてもよい。なお、中層プラスチックシート２及び下層プラスチックシート３は、特に透明又は半透明にする必要はなく、色及び透明性は任意である。
【００２９】
また、中層プラスチックシート２の下面２３又は下層プラスチックシート３の上面３１に所定の図柄を印刷してもよい。その場合は、上層プラスチックシート１及び中層プラスチックシート２を透明又は半透明にする必要がある。なお、下層プラスチックシートの下面（プラスチック気泡性シートの裏面、符号３２）に所定の図柄を印刷する場合は、いずれのシートも、透明又は半透明にする必要はなく、任意のものを用いることができる。
【００３０】
その他、芳香成分が封入されたマイクロカプセルをインキに含有させ、該インキを、下層プラスチックシート３の上面に塗布する場合は、上層プラスチックシート１を透明又は半透明にし、下層プラスチックシート３の上面３１に所定の図柄を印刷する構成にすればよい。その場合、その図柄を印刷するインキに、芳香成分が封入されたマイクロカプセルを含有させることができる。
【００３１】
図２は、本発明に係るプラスチック気泡性シートの上面模式図である。
【００３２】
本発明に係るプラスチック気泡性シートＡを上から見た場合、シートＡ上には、複数の凸部１１が設けられている。また、図１中の中層プラスチックシート２の表面（上面２２若しくは下面２３）又は下層プラスチックシート３の上面３１に所定の図柄が施されている場合、図２に示すように、その図柄２４を上から見ることができる。なお、図柄及び図柄の配置、個数は任意であり、特に限定されない。
【００３３】
図３は、本発明に係るプラスチック気泡性シートの凸部を破裂させた場合を示した断面模式図である。
【００３４】
プラスチック気泡性シートＡの中層プラスチックシート２に芳香成分２１を練り込んだ場合、芳香成分２１の一部は、上層プラスチックシート１の凸部１１の内測１２に放出される（符号２１’）。従って、上層プラスチックシート１の凸部１１の内側１２には、芳香成分２１’が高濃度に封入された状態となる。
【００３５】
従って、図３に示すように、上層プラスチックシート１の凸部１１を破裂させた場合、芳香成分２１’がシートＡの外側に放出される。
【００３６】
なお、マイクロカプセルに芳香成分２１を封入する場合、シートＡに強い圧力を加えることにより、マイクロカプセルを強制的に破裂させることができるため、例えば、シートＡの気泡（凸部１１）を指先などで破裂させた際に、同時に、マイクロカプセル内の芳香成分を高濃度に放散させることができる。
このことは、芳香成分が封入されたマイクロカプセルをインキに含有させ、該インキを、前記下層プラスチックシートの上面に塗布する構成にした場合も同様である。
【００３７】
図４は、本発明に係るプラスチック気泡性シートの製造装置の一例を示す模式図である。
【００３８】
図４に示す製造装置Ｂでは、ＴダイＢ１から押し出されたフィルム１’（上層プラスチックシートを形成するフィルム）と、ＴダイＢ２から押し出されたフィルム２’（中層プラスチックシートを形成するフィルム）と、ＴダイＢ３から押し出されたフィルム３’（下層プラスチックシートを形成するフィルム）と、を圧着ロールＢ４で圧着し、プラスチック気泡性シートＡを製造する。
【００３９】
上層プラスチックシートを形成するフィルム１’は、ＴダイＢ１から押し出された後、成形ロールＢ５で凸部１１を形成し、圧着ロールＢ４で圧着される。成形ロールＢ５は、フィルム１’を真空吸引しながら回転し、順次、上層プラスチックシートの凸部１１を形成する。
【００４０】
中層プラスチックシートを形成するフィルム２’は、ＴダイＢ２から押し出された後、圧着ロールＢ４に送られ、圧着される。ＴダイＢ２には、プラスッチック材料に芳香成分を練り込んだものを装填しておく。芳香成分は、ケイ酸カルシウムなど所定の担体に附加したり、マイクロカプセルに封入したりした後、プラスチック材料に練り込んでもよい。それにより、芳香成分を安定的かつ高濃度に、プラスチック材料に練り込むことができる。
【００４１】
また、フィルム２’には、印刷手段Ｂ６を用いて、所定の図柄をフィルム２’上に印刷してもよい（矢印４）。印刷手段Ｂ６は、インクジェットなど、既知の方法を用いることができる。図４は、フィルム２’の上面に印刷を施す場合の構成例であるが、フィルム２’の下面若しくはフィルム３’の上面に所定の図柄を印刷するように、印刷手段Ｂ６の構成位置を変更してもよい。
【００４２】
符号Ｂ７及びＢ８は、各フィルム２’、３’を圧着ロールＢ４に送るガイドロールであり、任意である。符号Ｂ９は、圧着したプラスチック気泡性シートＡを成形ロールＢ５から剥離させる剥離ロールである。
【００４３】
なお、本発明に係るプラスチック気泡性シートＡの製造装置は、上記のような装置構成に限定されない。例えば、フィルム２’若しくはフィルム３’に所定の図柄を印刷した後に、まず、フィルム２’とフィルム３’を圧着し、次に、フィルム１’を圧着するような装置構成にしてもよい。
【００４４】
続いて、芳香成分をシートに含有させる方法の具体例として、（Ａ）マスターバッチ化により芳香成分を練り込む方法、（Ｂ）インキに混合し塗布する方法、の二つについて、以下説明する。なお、本考案は、これらの方法を用いた場合のみに狭く限定されない。
【００４５】
＜（Ａ）マスターバッチ化により芳香成分を練り込む方法について＞
芳香成分を封入したマイクロカプセルをプラスチックシートに練り込む場合、例えば、マスターバッチ化、即ち、下記（１）〜（３）の工程を少なくとも含む方法を適用できる。
（１）芳香成分をマイクロカプセルに封入させる工程、
（２）前記マイクロカプセルとプラスチックシートの材料（プラスチック樹脂材料）とを、溶融混練し冷却した後、形成されたシートを裁断などする工程（マスターバッチ化）、
（３）プラスチックシートの材料（プラスチック樹脂材料）と、前記裁断されたシートとを、溶融混練後冷却し、中層プラスチックシートを形成する工程。
【００４６】
以下に、その概要を説明する。
まず、芳香成分をマイクロカプセルに封入させる（公知方法）。これにより、芳香成分がマイクロカプセルで保護されるため、芳香成分の耐熱性が向上する。
次に、芳香成分を封入したマイクロカプセルとプラスチックシートの材料（プラスチック樹脂材料）とを、溶融混練し冷却した後、形成されたシートを裁断などする（マスターバッチの作製）。そして、その裁断されたシート（マスターバッチ）と、プラスチックシートの材料（プラスチック樹脂材料）とを溶融混練後冷却し、プラスチックシートを形成する。これにより、芳香成分を、プラスチックシートに、ほぼ均一に練り込むことができる。
なお、形成したプラスチックシートは、目的、構成に応じて、上層、中層、下層の各プラスチックシートに適用できる。
【００４７】
＜（Ｂ）インキに混合し塗布する方法について＞
芳香成分が封入されたマイクロカプセルをインキに含有させ、前記インキを、下層プラスチックシートの表面に塗布する構成の場合、例えば、下記（１）〜（３）の工程を少なくとも含む方法を適用できる。
（１）芳香成分をマイクロカプセルに封入させる工程、
（２）前記マイクロカプセルを、所定のインキに混合させる工程、
（３）前記インキを、下層プラスチックシート上面に塗布する工程。
【００４８】
以下、その概要を説明する。
まず、前記と同様、芳香成分をマイクロカプセルに封入させる（公知方法）。
次に、芳香成分を封入したマイクロカプセルとインキとを混合し、下層プラスチックシート上面に塗布する。これにより、芳香成分をほぼ均一に、プラスチック気泡性シートに含有させることができる。
【００４９】
インキは、プラスチックシートへの印刷が可能なインキであれば、適用可能であり、グラビア印刷用、フレキソ印刷用のどちらのインキも適用可能である。その他、下層プラスチックシートに所定の図柄を印刷する場合、その印刷に用いるインキに、前記マイクロカプセルを含有させてもよい。
【実施例１】
【００５０】
実施例１では、中層プラスチックシートにマスターバッチを用いて芳香成分を練り込むことにより、本発明に係るプラスチック気泡性シートの試作品を作製した。
【００５１】
まず、芳香成分を封入したマイクロカプセルとして、ケミテックカプセルコロン（登録商標、ケミテック株式会社製、以下同じ）を準備した。ケミテックカプセルコロンは、香料入りカプセルで、カプセル壁材はメラミン樹脂、カプセルの平均粒径は２〜５μｍである。本実験では、ヒノキの芳香成分を封入したカプセルを用いた。
また、検討樹脂として、ＬＤＰＥ（低密度ポリエチレン、メルトフローレート５．０ｇ／１０ｍｉｎ、密度０．９２２ｇ／ｃｍ３）を用いた。
続いて、ケミテックカプセルコロンのＬＤＰＥへのマスターバッチ化を行った。配合組成をＬＤＰＥ９０％、ケミテックカプセルコロン１０％にし、小型ニーダー（混練機、４００ｃｃ）で、溶融混練し（練り込み時の樹脂温度１４０℃、練り込み時間５分間）、冷却して、シートを形成した。そして、シートを裁断し、ペレット状のマスターバッチを作製した。
続いて、作製したマスターバッチを用いて、プラスチック気泡性シートの試作品を作製した。Ｔダイ成形機の三つのＴダイに、それぞれ、ＬＤＰＥ樹脂材料を入れ、中層プラスチックシート用のＴダイには、さらに、作製したマスターバッチを添加した。そして、Ｔダイ成形機を用いて、Ｔダイ温度１６０℃、シリンダー温度１６０℃、成形速度１０ｍ／ｍｉｎで、成形し、プラスチック気泡性シートの試作品を作製した。
なお、中層プラスチックシート用のＴダイにおける配合組成は、次の三つのものを試作した。
（１）ＬＤＰＥ９７％、マスターバッチ３％
（２）ＬＤＰＥ９５％、マスターバッチ５％
（３）ＬＤＰＥ９０％、マスターバッチ１０％
【００５２】
その結果、いずれの成形品（プラスチック気泡性シートの試作品）においても、外観良好であり、緩衝性も良好だった。また、ＳＥＭ（電子顕微鏡）を用いて、断面を観察した結果、マイクロカプセルは、破壊されずに、中層プラスチックシート内に混在していた。
【実施例２】
【００５３】
実施例２では、芳香成分が封入されたマイクロカプセルをインキに含有させ、そのインキを下層プラスチックシートの上面に塗布することにより、本発明に係るプラスチック気泡性シートの試作品を作製した。
【００５４】
本実験では、インキとして、香料インキ「アロマテック」（商品名、久保井インキ株式会社製）を準備した。このインキは、フレキソ印刷用の水性インキで、香料を封入したマイクロカプセルを含有している。
また、下層プラスチックシートとして、ＬＤＰＥフィルムを準備した。ＬＤＰＥフィルムの印刷面にはコロナ処理を施した。
次に、ＬＤＰＥフィルムの印刷面に、香料インキを塗布した後、熱風で乾燥させた。
次に、プラスチック気泡性シートの試作品を作製した。上層プラスチックシートは、Ｔダイから押し出された後、溶融製膜状態で気泡を形成させた。そして、香料インキで塗布したＬＤＰＥ（下層プラスチックシート）を、加熱ロールで溶融させた後、上層プラスチックシートと貼り合わせ、プラスチック気泡性シートの試作品を作製した。
【００５５】
その結果、作製した成形品（プラスチック気泡性シートの試作品）は、外観良好であり、緩衝性も良好だった。加えて、気泡を破裂させた場合芳香があり、また、気泡を破裂させた後、プラスチック気泡性シートを摩擦させると、さらに強い芳香が得られた。以上の結果は、上記手順でプラスチック気泡性シートを作製することにより、プラスチック気泡性シート成形時などにおける加熱条件においても、芳香成分を保持できることを示唆する。
【産業上の利用可能性】
【００５６】
本考案に係るプラスチック気泡性シートは、小物若しくは玩具して利用することができる。また、本考案に係るプラスチック気泡性シートは、商品包装の際に用いる緩衝材として利用できる。
【００５７】
本考案に係るプラスチック気泡性シートは、一般の商品の包装にも有用なほか、御土産品・特産品などの包装にも有用である。例えば、北海道の土産品・特産品などを包装する場合、北海道を連想させるスズラン、ライラック、ラベンダーなどを香りの芳香成分をプラスチック気泡性シート内に封入し、それらの花若しくは北海道の景観などを図柄としてプラスチック気泡性シートに印刷することにより、土産品・特産品の商品イメージを向上させることができる。
【図面の簡単な説明】
【００５８】
【図１】本考案に係るプラスチック気泡性シートの断面模式図。
【図２】本考案に係るプラスチック気泡性シートの上面模式図。
【図３】本考案に係るプラスチック気泡性シートの凸部を破裂させた場合を示した断面模式図。
【図４】本考案に係るプラスチック気泡性シートの装置構成の一例を示す模式図。
【符号の説明】
【００５９】
１    上層プラスチックシート
２    中層プラスチックシート
２１  芳香成分
２３  図柄
３    下層プラスチックシート
Ａ    プラスチック気泡性シート
【図１】
0003111029.tif 000003
【図２】
0003111029.tif 000004
【図３】
0003111029.tif 000005
【図４】
0003111029.tif 000006